【事件の表示】
　特許第３０８５２６１号「ラケットフレーム」の請求項１ないし５に係る特許に対する特許異議の申立てについて、次のとおり決定する。
【結　論】
　訂正を認める。
　特許第３０８５２６１号の請求項１ないし４に係る特許を維持する。
【理　由】
１．手続きの経緯
　特許第３０８５２６１号発明の出願は、平成９年９月２２日に出願したものであって、平成１２年７月７日にその特許の設定登録がなされ、その後、下村宗弘より特許異議の申立がなされ、取消理由を通知したところ、その指定期間内の平成１３年８月８日に訂正請求がなされたものである。
　
２．訂正の適否の判断
（１）訂正の内容
　特許権者が求めている訂正の内容は、以下のａ〜ｇのとおりである。
（ｉ）特許請求の範囲の訂正
ａ．請求項１を下記のとおりに訂正。
「【請求項１】ほぼ全体がＦＲＰにて構成されたラケットフレームであって、ＦＲＰよりなるラケットフレーム本体と、該ラケットフレーム本体の一部に設けられた金属体とを備えてなり、該金属体は、ＦＲＰ部分を包囲するように設けられ、かつＦＲＰ部分と一体化されているラケットフレームであって、前記金属体はシャフト部に設けられていることを特徴とするラケットフレーム。」
ｂ．請求項４を下記のとおりに訂正。
「【請求項２】ほほ全体がＦＲＰにて構成されたラケットフレームであって、ＦＲＰよりなるラケットフレーム本体と、該ラケットフレーム本体の一部に設けられた金属体とを備えになり、該金属体は、ＦＲＰ部分を包囲するように設けられ、かつＦＲＰ部分と一体化されているラケットフレームであって、前記金属体はフェース部に設けられていることを特徴とするラケットフレーム。」
ｃ．請求項３を削除する。
ｄ．請求項２を下記のとおりに訂正。
「【請求項３】請求項１又は２において、前記金属体はラケットフレーム本体の外面に設けられていることを特徴とするラケットフレーム。」　
ｅ．請求項５を下記のとおりに訂正。
「【請求項４】請求項１ないし３のいずれか１項において、前記金属体はチタン又はチタン合金よりなることを特徴とするラケットフレーム。」
（ii）発明の詳細な説明の訂正
ｆ．段落【０００８】を下記のとおりに訂正。
「【０００８】【課題を解決するための手段】本発明のラケットフレームは、ほほ全体がＦＲＰにて構成されたラケットフレームであって、ＦＲＰよりなるラケットフレーム本体と、該ラケットフレーム本体の一部に設けられた金属体とを備えてなり、該金属体は、ＦＲＰ部分を包囲するように設けられ、かつＦＲＰ部分と一体化されているものである。
請求項１のラケットフレームは、前記金属体がシャフト部に設けられていることを特徴とする。請求項２のラケットフレームは、前記金属体がフェース部に設けられていることを特徴とする。」
ｇ．段落【００１０】を下記のとおりに訂正。
「【００１０】従って、目的に応じて金属体をシャフト部又はフェース部に設けることにより、ラケットフレームの剛性分布を任意に制御して反発弾性、振動吸収性、操作性等のラケット性能の調整の自由度を飛躍的に高めることができる。」
ｈ．段落【００３０】を下記のとおりに訂正。
「【００３０】【発明の効果】以上の通り、本発明によると、金属体をシャフト部及び／又はフェース部に設けることにより、ラケットフレームの強度を損なうことなく、その剛性分布を目的に応じて任意に制御して、反発弾性、振動吸収性、操作性等のラケット性能が著しく良好なラケットフレームが提供される。」
（２）訂正の目的の適否、新規事項の有無及び拡張・変更の存否
　上記訂正事項ａ及びｂは、請求項１及び４に係る発明に、「前記金属体はフェース部に設けられている」の構成を付加するものであるから、上記訂正事項ａないしｃは特許請求の範囲の滅縮を目的とするものである。
　上記訂正事項ｄ及びｅは、上記訂正事項ａ〜ｃの訂正に伴い、不整合となった請求項を整合させるものであるから、明りようでない記載の釈明を目的とするものである。
　上記訂正事項ｆ〜ｈは、上記特許請求の範囲の訂正に整合させるために発明の詳細な説明の欄を訂正するものであり、明りょうでない記載の釈明を目的とするものである。
　また、上記訂正事項ａ〜ｈは新規事項の追加に該当せず、実質上特許請求の範囲を拡張又は変更するものではない。
（３）むすび
　以上のとおりであるから、上記訂正は、特許法第１２０条の４第２項及び同条第３項において準用する特許法第１２６条第２項から第４項までの規定に適合するので、当該訂正を認める。
　
３．特許異議の申立てについての判断
（１）異議申立ての理由の概要
（ｉ）特許異議申立人下村宗弘は、証拠として、
甲第１号証 特開平６−２２５６６８号公報
甲第２号証 特開平５−８２２４号公報
を提出し、本件特許の請求項１、２、５に係る発明は、前記甲第１号証または甲第２号証に記載された発明であるから、当該発明は特許法第２９条第１項第３号に掲げる発明に該当し、特許を受けることができないものであり、また、請求項３、４に係る発明は甲第１号証および甲第２号証に記載された発明に基づいて当業者が容易に発明をすることができたものであるから特許法第２９条第２項の規定により特許を受けることができないものであり、さらに、本件請求項１〜５に係る発明は、その記載が不備で、特許法第３６条第６項第２号に規定する要件を満たしておらず特許を受けることができないから、請求項１〜５に係る特許は取り消すべき旨主張している。
（２）本件発明
　上記２．で示したように訂正が認められるから、本件請求項１に係る発明（以下、これを「本件発明１」という。）、本件請求項２に係る発明（以下、これを「本件発明２」という。）、本件請求項３に係る発明（以下、これを「本件発明３」という。）、および、本件請求項４に係る発明（以下、これを「本件発明４」という。）は、上記訂正に係る訂正明細書の特許請求の範囲の請求項１乃至請求項４に記載された事項により特定されるとおりのものである。（上記２．（１）（ｉ）訂正ａ〜ｅ参照）
（３）甲各号証
　甲号各証には、下記の事項が図面とともに記載されている。
（ｉ）甲第１号証（特開平６−２２５６６８号公報）
「【請求項１】 高強度繊維に合成樹脂を含浸したプリプレグを巻回して形成した管状体本体の外側に、外側に向った表面と内側に向った裏面とに酸化被膜を被覆形成した薄肉厚のシート状チタン材を有した補強層を前記管状体本体と一体的に形成したことを特徴とする管状体。【請求項２】 高強度繊維に合成樹脂を含浸したプリプレグを巻回して形成した管状体本体の外側に、外側に向った表面に酸化被膜を被覆形成した薄肉厚のシート状チタン材を有し、該チタン材の内側に向った裏面と前記管状体本体との間に合成樹脂等の絶縁材を介在させた補強層を前記管状体本体と一体的に形成したことを特徴とする管状体。」（特許請求の範囲）、
「【０００１】【産業上の利用分野】本発明は繊維強化プリプレグによって形成された管状体本体を薄肉厚のシート状チタン材によって補強した管状体に関する。従って、釣竿、ゴルフクラブシャフト、テニスラケット、自転車のフレーム等に利用可能である。【０００２】【従来の技術】合成樹脂を含浸させた繊維強化プリプレグを巻回して形成した管状体は上記釣竿等の各種スポーツ用品に使用されている。この管状体の衝撃力、捩り強度、圧縮強度等を向上させるために上記管状体の外側に金属箔層を積層した形態の管状体を形成する繊維強化プリプレグが特開昭６１−１４８０４５号公報や、更にこれにスリットを設ける工夫を行ったものが特開平４−３６３３３７号公報に開示されている。」（第２頁第１欄第１５〜２９行）、
「【０００７】【実施例】以下、本発明を添付図面に示す実施例に基づき、更に詳細に説明する。図１は釣竿やゴルフクラブシャフトのような繊維強化プリプレグを巻回して形成した管状体本体１０の外周に、図３に示すような網目形状のチタン材１４を主体とした補強層１２を一体的に被覆形成した状態を示している。【０００８】各肉厚の一例として、管状体本体１０の厚さは５００ミクロン、チタン材１４の厚さは５０ミクロン程度の箔状の薄肉厚である。図２に示すように、このチタン材１４を強化材として合成樹脂１６で上下を包持したシート又はテープによって管状体本体１０の外周に巻回し、該管状体本体１０と共に常法によってテーピング、加熱硬化、脱芯金、テープ剥離を行って管状体本体１０と共に補強層１２を一体的に成形する。」（第２頁第２欄第１５〜２９行）、
「【００１０】更に、上記開口部１８は外側が大きく拡開しているため、加熱成形時に合成樹脂が外側方向に流動し易くなり、樹脂流動抵抗による補強層１２の凹凸を発生させ難いという利点がある。また更に、補強層１２の形成において、シート状チタン材１４の上下を、合成樹脂１６の中にガラス繊維等の繊維を入れた極薄の繊維強化プリプレグによって包持すると、加熱成形時に更に補強層１２の凹凸をなくすることができると共に強度も向上する。然しながら、本発明においてはこの開口部１８は必須ではなく、単なるシート状のチタン材であってもよい。」（第２頁第２欄第３９〜４９行）。
（ii）甲第2号証（特開平５−８２２４号公報）
「【請求項１】 箔状エキスパンドメタル層の少なくとも一側に、強化繊維の中にマトリクス樹脂が含浸された繊維強化複合樹脂層或は強化繊維を有さない樹脂層が配置されたことを特徴とするプリプレグ。」（特許請求の範囲）、
「【０００１】【産業上の利用分野】本発明は、軽量であり且つ機械的特性に優れており、特に靭性があり振動減衰性及び耐衝撃特性、更には圧縮強度及び捩り破壊強度などに優れ、例えば、ゴルフクラブシャフト或はゴルフクラブヘッドフェース面、釣り竿、テニスラケット或はバドミントンラケットのような種々のラケットフレームなどのスポーツレジャー用品、自転車のフレーム、更には種々の機械部品用パイプ材、その他の部材を製造するのに好適に使用することのできるプリプレグに関するものである。特に、本発明のプリプレグは、箔状エキスパンドメタル層の少なくとも一側に、強化繊維の中にマトリクス樹脂が含浸された繊維強化複合樹脂層或は強化繊維を有さない樹脂層が配置され、衝撃強度及び捩り破壊強度に優れたプリプレグが提供される。」（第２頁第１欄第７〜２１行）、
「【００１９】斯る構成の繊維強化プリプレグ１は、任意の方法にて製造し得るが、一般に、前記繊維強化複合樹脂層４として、先ず強化繊維２にマトリクス樹脂５を含浸させてプリプレグを製造し、その後、該プリプレグ４の一側面に、箔状エキスパンドメタル層３としてのエキスパンドメタルを、例えばローラなどにて押付けることにより貼着して製造するのが好適である。」（第３頁第３欄第４６行〜第４欄第２行）、
「【００２４】本発明で箔状エキスパンドメタル層３を構成する箔状エキスパンドメタルは、図３に示すように、厚さ（Ｔ2'）が５〜１００μｍとされる箔状或は薄板状の金属材料３’、例えば昭和アルミニウム株式会社製の厚さ１０〜１００μｍのアルミニウム箔、或は、例えば竹内金属箔粉工業株式会社製の厚さ５〜５０μｍのステンレス箔、高強度スチール箔、チタン箔を使用し、通常の技術にて、刻み目（スリット）３０を形成し、この刻み目３０と直交する方向へと力Ｐにて引伸すことによって作製される（図４）。その他使用し得る金属材料３’としては、鉄、銅、ニッケル、ニクロム、錫、鉛、マグネシウム、金、銀、白金、その他種々の金属及びこれらの合金がある。これら金属材料３’、即ち、箔状エキスパンドメタル３は、その厚さ、即ち、ストランド３S （図４）の板厚（Ｔ2'）が、５μｍより薄い場合には圧縮強度、捩り破壊強度が不十分となり、１００μｍより厚い場合には成形性が不十分となる。」（第３頁第４欄第１８〜３４行）、
「【００３２】次いで、繊維強化複合樹脂層４に厚さ（Ｔ2 ）が７０μｍの箔状エキスパンドメタル３をローラにて押圧して貼着し、図１に示す構成の本発明の繊維強化プリプレグ１を作製した。」（第４頁第５欄第３１〜３４行）、
「【００３４】又、このような繊維強化プリプレグ１を最外層に配置した、図１１に図示するような形状のゴルフクラブシャフト２００を製造した。作業性が容易であり、ゴルフクラブシャフト２００の段部２００ａに皺２０２の発生はなく、美感的にも好ましいものであった。」（第４頁第５欄第４３〜４７行）。
（４）対比・判断
（ｉ）本件発明１について
　甲第１号証に記載された発明は前記３．（３）で示した記載およびその図面の記載からみて以下のようなものであると認められる。
「繊維強化プリプレグによって形成されたテニスラケットであって、高強度繊維に合成樹脂を含浸したプリプレグを巻回して形成した管状体本体の外側に、外側に向った表面に酸化被膜を被覆形成した薄肉厚のシート状チタン材を有した補強層を前記管状体本体と一体的に形成したテニスラケット。」
　本件発明１と上記甲第１号証に記載された発明とを比較する。
　甲第１号証に記載された発明の構成要素である、
「繊維強化プリプレグ」、「テニスラケット」、「管状体本体」、「シート状チタン材」は、
　本件発明１における、
「ＦＲＰ」、「ラケットフレーム」、「ラケットフレーム本体」、「金属体」
にそれぞれ相当するから、両者は、
「ＦＲＰにて構成されたラケットフレームであって、ＦＲＰよりなるラケットフレーム本体と、該ラケットフレーム本体に設けられた金属体とを備えてなり、該金属体は、ＦＲＰ部分を包囲するように設けられたラケットフレーム。」
である点で一致するが、
　本件発明１では、「ラケットフレーム本体の一部に設けられた」「金属体はシャフト部に設けられている」のに対し、甲第１号証記載の発明では、シート状チタン材を有する補強層がラケットのフレームに設けられているが、シャフト部のみに前記補強層が設けられているものではない点で相違する。
　上記相違点について検討すると、甲第１号証記載の発明は、プリブレグを巻回して形成した管状体本体の外側に薄肉厚のシート状チタン材を有した補強層を一体的に形成したことを特徴とする管状体であり、また、甲第２号証記載の発明は、箔状エキスパンドメタル層の少なくとも一側に繊維強化複合樹脂層が配置されたことを特徴とするプリプレグであり、甲第１又は２号証には、その管状体又はプリプレグをテニスラケットに利用できることは記載されているが、管状体の一部を、前記補強層を有さない構成とすること、あるいは、プリプレグの一部に箔状エキスパンドメタル層を有さない構成とすることは記載されておらず、且つ、示唆されてもいないから、甲第１号証記載の発明において、テニスラケットのフレームの一部であるシャフト部にシート状チタン材を有した補強層を設け、テニスラケットの他の部分には前記補強層を有さない構成とすることは当業者が容易にできることとはいえない。
　そして、本件発明１は、「金属体を任意の箇所に設けることにより、ラケットフレームの強度を損なうことなく、その剛性分布を目的に応じて任意に制御して、反発弾性、振動吸収性、操作性等のラケット性能が著しく良好なラケットフレームが提供される」という顕著な効果を奏するものである。
　したがって、本件発明１が甲第１又は２号証に記載された発明に基づいて当業者が容易に発明をすることができたものとはいえない。
（ii）本件発明２について
　本件発明２は、本件発明１における「金属体はシャフト部に設けられている」点が「金属体はフェース部に設けられている」点のみで相違し、その余の点で一致する。
　したがって、３．（４）（ｉ）で述べたのと同様に、本件発明２では、金属体は「ラケットフレーム本体の一部に設けられ」た「金属体はフェース部に設けられている」のに対して、甲第１号証に記載された発明ではそのように構成されていない点で相違している。そして３．（４）（ｉ）で述べたように上記相違点に基づき顕著な効果を奏するものであるから、当業者といえども甲第１号証に記載された発明から容易に想到し得たものということはできない。
　また、上記相違点に係る構成は甲第２号証にも記載されておらず、また、示唆する記載もないことから、甲第１号証に記載された発明に甲第２号証に記載された発明を適用しても、本件発明２の構成を当業者といえども容易に想到し得たものということはできない。
（iii）本件発明３および４について
　本件発明３は、本件発明１又は２を引用する発明であり、本件発明４は、本件発明１ないし３を引用する発明であるから、いずれも３．（４）（ｉ）または（ii）で述べた理由により、当業者といえども甲第１号証および甲第２号証に記載された発明から容易に想到し得たものということはできない。
（５）記載不備について
　特許異議申立人は、本件請求項１ないし４に係る発明における「金属体」との記載について、明細書中に定義的な記載がなく発明を特定することができないため、特許法第３６条第６項第２号に規定する要件を満たしていない旨主張している。
　しかしながら、広辞苑には「たい【体】」の用語として「かたちのあるもの」との記載があることからみて、「金属体」という記載は、「金属」であって「かたちのあるもの」という意味であり、請求項１及び２には「一部に設けられた金属体」であって「金属体は、ＦＲＰ部分を包囲する」と記載されており、請求項１ないし４に係る発明は不明確であるとはいえず、特許請求の範囲の記載が特許法第３６条第６項第２号に規定する要件を満たしていないということはできない。
　
４．むすび
　以上のとおりであるから、特許異議の申立ての理由によっては本件発明１ないし４についての特許を取り消すことはできない。
　また、他に本件発明１ないし４についての特許を取り消すべき理由を発見しない。
　したがって、本件発明１ないし４についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年５月２日（２００２．５．２）
【訂正の要旨】
　訂正の要旨
　特許第３０８５２６１号発明の明細書中特許請求の範囲
「【請求項１】ほぼ全体がＦＲＰにて構成されたラケットフレームであって、ＦＲＰよりなるラケットフレーム本体と、該ラケットフレーム本体の一部に設けられた金属体とを備えてなり、該金属体は、ＦＲＰ部分を包囲するように設けられ、かつＦＲＰ部分と一体化されていることを特徴とするラケットフレーム。
　【請求項２】請求項１において、前記金属体はラケットフレーム本体の外面に設けられていることを特徴とするラケットフレーム。
　【請求項３】請求項１又は２において、前記金属体はシャフト部に設けられていることを特徴とするラケットフレーム。
　【請求項４】請求項１又は２において、前記金属体はフェース部に設けられていることを特徴とするラケットフレーム。
　【請求項５】請求項１ないし３のいずれか１項において、前記金属体はチタン又はチタン合金よりなることを特徴とするラケットフレーム。」
とあるのを、特許請求の範囲の減縮を目的として
「【請求項１】ほぼ全体がＦＲＰにて構成されたラケットフレームであって、ＦＲＰよりなるラケットフレーム本体と、該ラケットフレーム本体の一部に設けられた金属体とを備えてなり、該金属体は、ＦＲＰ部分を包囲するように設けられ、かつＦＲＰ部分と一体化されているラケットフレームであって、前記余属体はシャフト部に設けられていることを特徴とするラケットフレーム。
　【請求項２】ほほ全体がＦＲＰにて構成されたラケットフレームであって、ＦＲＰよりなるラケットフレーム本体と、該ラケットフレーム本体の一部に設けられた金属体とを備えになり、該金属体は、ＦＲＰ部分を包囲するように設けられ、かつＦＲＰ部分と一体化されているラケットフレームであって、前記金属体はフェース部に設けられていることを特徴とするラケットフレーム。
　【請求項３】請求項１又は２において、前記金属体はラケットフレーム本体の外面に設けられていることを特徴とするラケットフレーム。
　【請求項４】請求項１ないし３のいずれか１項において、前記金属体はチタン又はチタン合金よりなることを特徴とするラケットフレーム。」
と訂正する。
　特許第３０８５２６１号発明の明細書の記載を平成１３年８月８日付訂正明細書のとおり、すなわち、明りょうでない記載の釈明を目的として、明細書原本における、段落【０００８】を下記のとおりに訂正。
「【０００８】【課題を解決するための手段】本発明のラケットフレームは、ほぼ全体がＦＲＰにて構成されたラケットフレームであって、ＦＲＰよりなるラケットフレーム本体と、該ラケットフレーム本体の一部に設けられた金属体とを備えてなり、該金属体は、ＦＲＰ部分を包囲するように設けられ、かつＦＲＰ部分と一体化さていることを特徴とする。」を、
「【０００８】【課題を解決するための手段】本発明のラケットフレームは、ほほ全体がＦＲＰにて構成されたラケットフレームであって、ＦＲＰよりなるラケットフレーム本体と、該ラケットフレーム本体の一部に設けられた金属体とを備えてなり、該金属体は、ＦＲＰ部分を包囲するように設けられ、かつＦＲＰ部分と一体化されているものである。請求項１のラケットフレームは、前記金属体がシャフト部に設けられていることを特徴とする。請求項２のラケットフレームは、前記金属体がフェース部に設けられていることを特徴とする。」と訂正。
　特許第３０８５２６１号発明の明細書の記載を平成１３年８月８日付訂正明細書のとおり、すなわち、明りょうでない記載の釈明を目的として、明細書原本における、段落【００１０】を下記のとおりに訂正。
「【００１０】従って、目的に応じて金属体を任意の箇所に設けることにより、ラケットフレームの剛性分布を任意に制御して反発弾性、振動吸収性、操作性等のラケット性能の調整の自由度を飛躍的に高めることができる。」を、
「【００１０】従って、目的に応じて金属体をシャフト部又はフェース部に設けることにより、ラケットフレームの剛性分布を任意に制御して反発弾性、振動吸収性、操作性等のラケット性能の調整の自由度を飛躍的に高めることができる。」と訂正。
　特許第３０８５２６１号発明の明細書の記載を平成１３年８月８日付訂正明細書のとおり、すなわち、明りょうでない記載の釈明を目的として、明細書原本における、段落【００３０】を下記のとおりに訂正。
「【００３０】【発明の効果】以上の通り、本発明によると、金属体を任意の箇所に設けることにより、ラケットフレームの強度を損なうことなく、その剛性分布を目的に応じて任意に制御して、反発弾性、振動吸収性、操作性等のラケット性能が著しく良好なラケットフレームが提供される。」を、
「【００３０】【発明の効果】以上の通り、本発明によると、金属体をシャフト部及び／又はフェース部に設けることにより、ラケットフレームの強度を損なうことなく、その剛性分布を目的に応じて任意に制御して、反発弾性、振動吸収性、操作性等のラケット性能が著しく良好なラケットフレームが提供される。」と訂正。
（５４）【発明の名称】
ラケットフレーム
（５７）【特許請求の範囲】
　【請求項１】　ほぼ全体がＦＲＰにて構成されたラケットフレームであって、ＦＲＰよりなるラケットフレーム本体と、該ラケットフレーム本体の一部に設けられた金属体とを備えてなり、
　該金属体は、ＦＲＰ部分を包囲するように設けられ、かつＦＲＰ部分と一体化されている
ラケットフレームであって、
　
前記金属体はシャフト部に設けられている
　【請求項２】　
ほぼ全体がＦＲＰにて構成されたラケットフレームであって、ＦＲＰよりなるラケットフレーム本体と、該ラケットフレーム本体の一部に設けられた金属体とを備えてなり、
　
該金属体は、ＦＰＲ部分を包囲するように設けられ、かつＦＰＲ部分と一体化されているラケットフレームであって、
　前記金属体はフェース部に設けられていることを特徴とするラケットフレーム。
　【請求項３】　請求項１
又は２
　【請求項４】　請求項１ないし３のいずれか１項において、前記金属体はチタン又はチタン合金よりなることを特徴とするラケットフレーム。
【発明の詳細な説明】
　【０００１】
　【発明の属する技術分野】
　本発明はテニス、バドミントン等のラケットフレームに係り、特にＦＲＰ（繊維強化合成樹脂）製のラケットフレーム本体に金属体を複合一体化させてなるラケットフレームに関する。
　【０００２】
　【従来の技術】
　テニス用ラケットフレーム等のラケットフレームは、周知の通り、ガットが張られるフェース部と、プレーヤーによって把持されるグリップ部と、これらをつなぐシャフト部とを備えている。
　【０００３】
　従来のラケットフレームは、ＦＲＰ又はアルミニウム等の軽量な金属で構成されている。チタン又はチタン合金製のラケットフレームも公知である（特公昭５９−１８１３８号公報）。
　【０００４】
　また、金属パイプとＦＲＰパイプとを組み合わせたラケットフレームもある。
　【０００５】
　【発明が解決しようとする課題】
　ラケットの反発弾性、振動吸収性、操作性等を目的に応じて任意に設計するには、ラケットフレームの剛性分布を任意に調整する必要があるが、従来のラケットフレームは、その全体がＦＲＰ、アルミニウム又はチタンといった単一材料で構成されているため、剛性が一様で、局部的に任意に剛性分布を操作することが非常に困難であった。即ち、全体的に柔軟なラケットフレームとするか、全体的にある程度剛性の高いラケットフレームとすることしかできなかった。
　【０００６】
　金属パイプとＦＲＰパイプとを組み合わせたラケットフレームもあるが、従来のこの種のラケットフレームは、金属パイプとＦＲＰパイプとを単に連結したものであるため、異種材料の境界部分（不連続部分）ができ、この部分における強度が著しく劣るものとなる。
　【０００７】
　本発明は上記従来の問題点を解決し、ＦＲＰ製フレーム本体の剛性分布を任意に調整することができ、これにより、目的に応じて反発弾性や振動吸収性、操作性等を容易に設計することができるラケットフレームを提供することを目的とする。
　【０００８】
　【課題を解決するための手段】
　本発明のラケットフレームは、ほぼ全体がＦＲＰにて構成されたラケットフレームであって、ＦＲＰよりなるラケットフレーム本体と、該ラケットフレーム本体の一部に設けられた金属体とを備えてなり、該金属体は、ＦＲＰ部分を包囲するように設けられ、かつＦＲＰ部分と一体化さ
れ
ものである
　
請求項１のラケットフレームは、前記金属体がシャフト部に設けられていることを特徴とする。
　
請求項２のラケットフレームは、前記金属体がフェース部に設けられていることを特徴とする。
　【０００９】
　本発明のラケットフレームでは、金属体を設けた部分における剛性をその近傍のＦＲＰのみからなる部分よりも高いものとすることができる。この金属体はＦＲＰ製ラケットフレーム本体のＦＲＰ部分を包囲するように、かつＦＲＰ部分と一体的に設けられているため、金属体を設けることによりラケットフレームの強度が損なわれることはない。
　【００１０】
　従って、目的に応じて金属体を
シャフト部又はフェース部
　【００１１】
　本発明において、金属体はラケットフレーム本体の外面に設けられていることが好ましい。
　【００１２】
　本発明では、金属体を、シャフト部に設けることにより、シャフト部の剛性を大幅に高めて、反発弾性を飛躍的に向上させることができる。また、ヘッドライトとなり、操作性も向上する。
　【００１３】
　また、金属体をフェース部に設けることにより、フェース面の安定性を大幅に高めて、スピン性能、反発弾性、ボールコントロール性等を飛躍的に向上させることができる。
　【００１４】
　この金属体は、剛性、強度、耐久性等の面からチタン又はチタン合金製であることが好ましい。
　【００１５】
　【発明の実施の形態】
　以下、図面を参照して実施の形態について説明する。図１（ａ）は実施の形態に係るテニス用ラケットフレームの正面図であり、図１（ｂ），（ｃ）はそれぞれ図１（ａ）のＢ−Ｂ線、Ｃ−Ｃ線に沿う断面図である。
　【００１６】
　このラケットフレーム１は、フェース部２、シャフト部３及びグリップ部４よりなる。フェース部２はほぼ長円形状となっているが、方形に近い形状等としても良い。
　【００１７】
　このラケットフレーム１は、ＦＲＰ製の中空チューブ状のラケットフレーム本体５と、このラケットフレーム本体５のうちシャフト部３に設けられたパイプ状の金属体７とで構成されている。
　【００１８】
　この金属体７は、シャフト部３のＦＲＰ層６の外面を包囲するように、かつＦＲＰ層６と一体的に設けられている。このようにシャフト部３に金属体７を設けることにより、シャフト部３の剛性を大幅に高めて、反発弾性を飛躍的に向上させることができる。また、ヘッドライトとなり、操作性も向上する。
　【００１９】
　金属体７を構成する金属としては、チタン又はチタン合金、ジュラルミン、ステンレス、超硬スチール等が好適であるが、軽量で剛性が高く耐久性に優れることからチタン又はチタン合金が最も好ましい。
　【００２０】
　金属体７の長さや厚さはその設置位置や剛性の向上レベル等によって適宜設定されるが、通常の場合、長さＬは５〜２００ｍｍ、特に２０〜１００ｍｍ、とりわけ３０〜７０ｍｍの範囲、厚さｔは０．１〜２．０ｍｍ、特に０．２〜１．０ｍｍとりわけ０．３〜０．７ｍｍの範囲で適宜選定される。
　【００２１】
　このような本発明のラケットフレームは、例えば、所定の位置に金属体を配置した金型に、ＦＲＰ成形材料を挿入して一体成形することにより容易に製造することができる。
　【００２２】
　なお、図示の実施の形態では、金属体７をシャフト部３に設けているが、金属体７はフェース部に設けることもでき、これにより、フェース面の安定性を大幅に向上させてスピン性能、反発弾性、ボールコントロール性を飛躍的に向上させることができる。
　【００２３】
　金属体は、フェース部及びシャフト部の双方に設けられても良く、また、各々の部分に複数個設けることも可能である。
　【００２４】
　本発明において、金属体はＦＲＰ層を包囲するように、かつ、ＦＲＰ層と一体的に設けられていれば良く、金属体の形状は、必ずしも図１に示すような均一厚みのパイプ状である必要はなく、部分的に厚みが異なっていても良い。また、金属体の長さについても部分的に短い部分や長い部分があっても良い。ただし、金属体７の外表面７Ａと、ラケットフレーム本体５のＦＲＰ層６の外表面６Ａとは、面一となるようにするのが好適である。
　【００２５】
　金属体７は、また、ＦＲＰ層６との一体性を高めるために、接触面に細かな凹凸をつけたり、粗面化処理をしても良い。
　【００２６】
　なお、本発明のラケットフレームのＦＲＰ製ラケットフレーム本体の補強繊維としては、引張弾性率が１６〜４０ｔｏｎ／ｍｍ２とりわけ２４〜３０ｔｏｎ／ｍｍ２のものが好適であり、カーボン繊維、ボロン繊維、アルミナ繊維、超極細鉄線Ｔｉ−Ｓｉ−Ｃ−Ｏ系繊維（商品名チラノ繊維）、芳香族ポリアミド繊維、芳香族ポリエステル繊維、超高分子ポリエチレン繊維などを用い得るが、コストの面からもカーボン繊維が好適である。
　【００２７】
　合成樹脂としては、エポキシ樹脂、ナイロンなどが好適であるが、強度、耐久性及び価格の点でエポキシ樹脂が好適である。
　【００２８】
　ＦＲＰ製ラケットフレーム本体の厚みは、その部位によっても異なるが、通常、金属体の非設置部で０．５〜２．０ｍｍ程度、金属体の設置部ではそれから金属体の厚みを差し引いた程度である。
　【００２９】
　なお、図１に示すラケットフレーム１は、シャフト部７が断面楕円形状であるが、この断面形状は楕円形に限らず、角形、円形、その他の形状であっても良い。
　【００３０】
　【発明の効果】
　以上の通り、本発明によると、金属体を
シャフト部及び／又はフェース部
【図面の簡単な説明】
　【図１】
　（ａ）図は実施の形態に係るテニス用ラケットフレームの正面図、（ｂ）図は（ａ）図のＢ−Ｂ線に沿う断面図、（ｃ）図は（ａ）図のＣ−Ｃ線に沿う断面図である。
　【符号の説明】
　１　ラケットフレーム
　２　フェース部
　３　シャフト部
　４　グリップ部
　５　ラケットフレーム本体
　６　ＦＲＰ層
　７　金属体